(57)【要約】  健常者が所定の基準を満たすとともに、特定の方法ステップに従うことを条件として、この人物を外部対照として使用して測定装置の機能をテストすることができる。
2011508206.tif 000002
【特許請求の範囲】
【請求項１】
ヒト対照を使用して、呼気中の気体物質の濃度を測定するための装置の機能をテストする方法であって、
‐前記ヒト対照が正常状態にあることをチェックするステップと、
‐前記ヒト対照が吐き出した空気中の前記気体物質の濃度を測定して現在値を取得するステップと、
‐前記測定した濃度の前記現在値が特定の範囲内にあるかどうかを判定するステップと、
‐基準値を決定するステップと、
‐前記基準値と前記現在値との間の差分を求めるステップと、
‐特定の値を超える偏差を、前記装置が不調であることを示すものと解釈するステップと、
を含むことを特徴とする方法。
【請求項２】
前記特定の範囲が、前記測定される気体物質の関連する診断間隔に適応する、
ことを特徴とする請求項１に記載の方法。
【請求項３】
前記基準値が、前記現在値と、同じヒト対照を使用した測定から以前に取得した値とに基づいて移動平均を計算することにより決定される、
ことを特徴とする請求項１に記載の方法。
【請求項４】
前記移動平均を求める際に、以前の測定から得られた少なくとも２つの測定値が使用される、
ことを特徴とする請求項３に記載の方法。
【請求項５】
前記移動平均を求める際に、少なくとも３つの測定値が使用される、
ことを特徴とする請求項３に記載の方法。
【請求項６】
測定が、２日以上であるが８日未満の間隔で行われる、
ことを特徴とする請求項３に記載の方法。
【請求項７】
前記気体物質が、二酸化炭素、酸素、酸化窒素、及び揮発性有機化合物の中から選択される、
ことを特徴とする請求項１に記載の方法。
【請求項８】
前記気体物質が酸化窒素である、
ことを特徴とする請求項１に記載の方法。
【請求項９】
前記現在値の前記特定の範囲が約１０〜約４０ｐｐｂである、
ことを特徴とする請求項８に記載の方法。
【請求項１０】
被験者が、風邪を引いていないこと、気道疾患がないこと、喘息でないこと、喫煙者でないこと、過敏症でないこと、非季節性過敏症でないこと、直近３時間以内に硝酸塩に富む食物を摂取していないこと、及び直近１時間以内に激しい運動を行っていないことという基準を満たすときに、対照として及び正常状態にあると見なされる、
ことを特徴とする請求項１に記載の方法。
【請求項１１】
前記装置が不調であることを示すものとしての特定値を超えた偏差の解釈が、前記対照が正常状態にあることの追加確認を前提とし及びこれを条件とする、
ことを特徴とする請求項１に記載の方法。
【発明の詳細な説明】
【技術分野】
【０００１】
本発明は、一般に気体化合物の濃度を測定するための装置に関し、特に呼気中の気体化合物の濃度を測定するための装置に関する。より具体的には、本発明は、このような装置の機能をテストする方法に関する。
【背景技術】
【０００２】
呼気中の無機及び有機気体成分の双方が、いくつかの疾病の代謝プロセスに関する有用な識見を提供できることが知られている。このような成分の濃度は、研究及び臨床の双方の背景において綿密に調査されてきた。これらの識見に基づいて、濃度値が診断の立証に役立ち、患者の健康状態などをモニタするのに有用であることが分かってきた。呼気中に存在する気体成分の例として、本明細書では酸化窒素（ＮＯ）と呼ぶ一酸化窒素、二酸化炭素（ＣＯ2）、酸素（Ｏ2）、及び揮発性有機化合物が挙げられる。１つの実例としてＮＯがあり、これは１９９０年代初期に炎症の診断マーカであることが判明したため、多くの研究の的になってきた。ＮＯ濃度の測定における使用に様々な技術及びセンサが提案されてきた。例として、以下に限定されるわけではないが、ケミルミネセンス、半導体ベースセンサ、電気化学センサ、及びポリマベースセンサが挙げられる。
【０００３】
測定される気体成分の正体、又は選択する技術にかかわらず、装置の機能、正確性及び信頼性をテストできることが重要である。
【０００４】
伝統的には、測定装置により測定される物質の濃度が判明しているとともに実用的に安定した気体混合物である基準ガスが使用されている。例えば、測定装置を使用して呼気中のＮＯの濃度を測定する場合、窒素中に既知の濃度のＮＯを有する特別な基準ガスを使用することができる。すなわち、所定の濃度のＮＯを含有する窒素がバルクガスとなる。この基準ガスは、圧縮した形でボンベ内で保存され、その後多くの場合圧力調整器及びガス器具を介して測定装置に供給される。その後、測定装置の示度が、特別な基準ガス内で測定される物質の既知の濃度と比較される。
【０００５】
この技術は、特別な基準ガスの製造、保管、及び取扱いのコストに起因してかなり高価なものとなることが多い。場合によっては、求められる仕様に適合する特別な基準ガスを製造することは技術的にも困難である。例えば、測定される物質の濃度が低い特別な基準ガスが必要な場合などがこれにあたる。特別な基準ガスの注文、輸送、及び取扱いには時間もかかり、しかも保管寿命が限られている場合がある。さらに、ボンベの寸法及び重さのためにボンベの取り扱い自体が不便である。
【０００６】
測定装置のなかには、事前較正されたセンサを使用し、又は製造中に他の方法で事前較正され、これらの規定耐用年数中に較正を必要としないものもある。それでもなお、特定の装置からの測定値が正確かつ信頼できるものであるかどうかをテストする可能性を有することは有利であろう。
【先行技術文献】
【非特許文献】
【０００７】
【非特許文献１】Ｋｈａｒｉｔｏｎｏｖ他著、健常及び喘息の成人及び小児における呼気ＮＯ測定の再現性、Ｅｕｒ  Ｒｅｓｐｉｒ  Ｊ  ２００３年、第２１巻、４３３〜４３８ページ
【非特許文献２】Ａｌｄｅｅｎ著、Ｐｏｓｔｅｒ  ＡＴＳ  ２００５‐米国オハイオ州クリーブランドクリニックにおけるスタッフの自己テストによる生物学的ＱＣ
【非特許文献３】Ｍａｒｉａｎｎｅ  Ａｎｄｅｒｓｓｏｎ著、Ｐｏｓｔｅｒ  ＥＲＳ  ２００５、呼気酸化窒素の長期変動、スウェーデン  ゴーゼンバーグ市サールグレンスカ大学におけるスタッフの自己テスト
【非特許文献４】Ｂｒａｄｌｅｙ  Ｅｆｒｏｎ及びＲ．Ｊ．Ｔｉｂｓｈｉｒａｎｉ著、ブートストラップ法入門（統計及び応用確率に基づくモノグラフ）、１９９５年
【発明の概要】
【発明が解決しようとする課題】
【０００８】
本発明の目的は、背景技術に関連する欠点の一部又は全てを除去し、又は少なくとも軽減する選択的なテスト方法を提供することである。
【課題を解決するための手段】
【０００９】
驚いたことに、本発明者らは、添付の特許請求の範囲に記載し、引用により本明細書に組み入れられる本発明の実施形態によれば、基準ガスの使用を、基準人物としてヒトを使用することと少なくとも部分的に置き換えることができることを発見した。
【００１０】
本発明者らは、ヒト対照を使用して呼気中の気体物質の濃度を測定する装置の機能をテストする方法を提供し、この方法は、
‐上記ヒト対照が正常状態にあることをチェックするステップと、
‐上記ヒト対照が吐き出した空気中の上記気体物質の濃度を測定して現在値を得るステップと、
‐測定した濃度の上記現在値が所定の範囲内にあるかどうかを判定するステップと、
‐基準値を決定するステップと、
‐上記基準値と上記現在値との差分を求めるステップと、
‐所定値を超える偏差を、装置が不調であるか又は較正を必要としているかを示すものとして解釈するステップとを含む。
【００１１】
本発明の好ましい実施形態によれば、現在値の所定の範囲が、測定される気体成分の関連する診断間隔に適応する。この場合の「適応する」という表現は、所定の範囲が、診断間隔、すなわち健常な個体をテストしたときに通常得られる値から、問題の疾病を抱える個体をテストしたときに通常得られる値までの間隔と実質的に同じになるように選択されることを意味する。或いは、所定の範囲が診断間隔に重なるように選択される。気体成分がＮＯである実施形態では、現在値の所定の範囲が約１０〜約４０ｐｐｂであることが好ましい。当業者であれば理解するであろうが、その他の指標については、検出される成分が別のものであれば所定の範囲も別のものとなる。
【００１２】
好ましい実施形態によれば、同じヒト対照の測定から得られる現在値と以前に得られた値とに基づいて移動平均を計算することにより基準値が決定される。移動平均を求める際には、以前の測定から得られた少なくとも２つの測定値を使用することが好ましく、移動平均を求める際に少なくとも３つの測定値を使用することがより好ましい。当業者であれば、移動平均計算の妥当性が、妥当な量の以前の測定値を超えてさらに向上することはないということを理解するであろう。
【００１３】
好ましい実施形態によれば、測定が少なくとも２日の間隔を空けて行われ、間隔が少なくとも３日であることが好ましく、間隔が少なくとも４日であるが８日未満であることがより好ましい。
【００１４】
別の実施形態によれば、気体物質が酸化窒素である。しかしながら、当業者であれば、健常者において測定可能な安定した濃度で生じるのであれば、本発明が呼気中で見つかる他の気体化合物の測定にも適用可能であることを理解するであろう。非限定的な例のリストには、二酸化炭素（ＣＯ2）、酸素（Ｏ2）、及びその他の揮発性有機化合物が含まれる。
【００１５】
本発明の実施形態によれば、被験者は、風邪を引いていないこと、気道疾病がないこと、喘息でないこと、喫煙者でないこと、過敏症でないこと、直近３時間以内に硝酸塩に富む食物を摂取していないこと、及び直近１時間以内に激しい運動を行っていないことという基準を満たしているときに、対照として及び正常な状態にあるとみなされる。ヒト対照が喘息でないことという要件に関して、抗炎症薬の投与を受けることなどにより疾病が良好に抑制されているならば、喘息の人も資格を得られることを理解すべきである。
【００１６】
さらに、本発明の実施形態によれば、装置が不調である（又は較正を必要とする）ことを示すものとされる特定値を超えた偏差の解釈は、対照が正常状態にあることの追加確認を前提とし及び条件とする。
【００１７】
本発明のさらなる可能な特徴及び利点については、以下の発明を実施するための形態において説明する。
【００１８】
以下、非限定的な実施形態により、及び添付図面を参照しながら本発明について説明する。
【図面の簡単な説明】
【００１９】
【図１ａ】連続測定における基準人物（被検者Ｘ）のＮＯ示度（ＦＥＮＯ＝呼気酸化窒素濃度）を示すグラフである。
【図１ｂ】測定値と計算した移動平均との間の差分を示すグラフである。２つの測定が±１０ｐｐｂの所定偏差を超えていることが分かり、現在のＦＥＮＯ値と移動平均との間の差分を示す図１ｂにおいて最もはっきりと見られる。被験者は正常状態にあったので、この結果は測定装置が不調であり、及び／又は較正を必要とすることを示す。
【図２ａ】上記と同様のグラフであるが、基準人物（被検者Ｙ）が小さな変動のみを示し、全測定期間中装置が良好に機能した例を示している。
【図２ｂ】上記と同様のグラフであるが、基準人物（被検者Ｙ）が小さな変動のみを示し、全測定期間中装置が良好に機能した例を示している。
【図３ａ】基準人物（被検者Ｚ）が、過敏症又は風邪などの何らかの一過性の気道の問題を抱えていると訴えた（フラグを付けた）例を示す図である。従って、これらの値は無視することができる。
【図３ｂ】基準人物（被検者Ｚ）が、過敏症又は風邪などの何らかの一過性の気道の問題を抱えていると訴えた（フラグを付けた）例を示す図である。従って、これらの値は無視することができる。
【図４】本発明の実施形態の基本ステップを示すブロック図であり、構造化手順は、装置の正しい機能の確認、又は装置の不調の指示で終了する。
【発明を実施するための形態】
【００２０】
本明細書で説明する方法を詳細に説明する前に、この方法が説明する装置の特定の構成部品に限定されず、或いはこのような装置及び方法として説明する方法のステップが様々であってよいことを理解されたい。本明細書で使用する専門用語は、特定の実施形態を説明することのみを目的とするものであり、限定的であることを意図するものではないことも理解されたい。本明細書及び添付の特許請求の範囲で使用する場合、「１つの（英文不定冠詞）」及び「その（英文定冠詞）」という単数形は、文脈において単数であることをはっきりと示していない限り複数形の意味も含むことに留意されたい。従って、例えば「（１つの）要素」という言及には複数のこのような要素が含まれるなどである。
【００２１】
本明細書及びこれに続く特許請求の範囲では、次の意味を有すると定義すべきいくつかの用語に対する言及が行われる。
【００２２】
「約」という用語は、適用可能な場合、所定の値の＋／−２％、好ましくは数値の＋／−５％、最も好ましくは＋／−１０％の偏差を示すために使用される。
【００２３】
以下では、本発明による方法について、呼気中のＮＯの濃度をｐｐｂ（１０億分の１）で測定する測定装置を参照しながら部分的に説明する。測定機器が使用する単位は当然ながら重要なことではなく、この方法は、ｐｐｍ（百万分の１）などのいずれかの従来の濃度単位を使用する測定機器とともに同等に使用することができる。ｐｐｂで測定されるＮＯの例を使用して、本発明の方法の正確性及び信頼性について説明する。研究及び診断の双方の目的で呼気中の気体成分を測定するための装置のメーカーは多く存在する。背景技術の欄で説明したように、様々なセンサ、様々な化学分析などを含む、ガスの濃度を測定するための様々な技術的アプローチが存在する。しかしながら、呼気中の気体成分を測定するための装置の機能をテストする一般的方法を提供する本発明にとって技術の選択は重要ではない。以下の説明及びこれに含まれる実施例では、本明細書で説明する技術を理解しやすくするために、本方法を１つの特定の測定装置に関して説明する。測定装置は、スウェーデン、ソルナのＡｅｒｏｃｒｉｎｅ  ＡＢ社が市販するＮＩＯＸ  ＭＩＮＯ（登録商標）であり、これを診断用の気体の測定に使用する。この装置を使用して呼気中の酸化窒素の濃度を測定することができる。このような測定は、多くの場合呼気酸化窒素濃度（ＦＥＮＯ）の測定又はＦＥＮＯ測定と呼ばれる。ＮＩＯＸ  ＭＩＮＯ（登録商標）は、米国呼吸器学会（ＡＴＳ）２００５年呼気測定用推奨機器第＿＿＿＿＿＿号に適合する。この用途では、測定装置の機能をテストする個体又は測定装置の機能をテストするのに使用される個体は、ヒト対照又は基準人物と呼ばれる。本明細書で説明する技術によれば、ある基準に従ってヒト対照候補が認定される。候補の認定は認定手続きと呼ばれる。装置のテスト手順も、所定の方法論を使用して行われる。発明者らは、言及した基準及び方法論を展開するための検討を行った。機器のテスト手順は、生物学的試験手順と呼ばれる。以下では、生物学的試験手順のためのヒト対照候補を認定する認定手続きの実施形態について概説する。生物学的試験手順の実施形態についても説明する。
【実施例】
【００２４】
要点
発明者らは、認定手続き及び生物学的試験手順のための基準及び方法論を展開してテストする研究を行った。
【００２５】
要約すれば、この研究により、健常な個体から得た、現在値と移動平均との間の差分限度が±１０ｐｐｂであるＦＥＮＯ測定値を使用して、ＦＥＮＯ測定のための機器の機能をテストできることが確認された。
【００２６】
発明者らはまた、気道感染症及び過敏症を患う個体から得た値などの除外すべき測定値を週１回の測定において容易に検出できることも発見した。
【００２７】
驚いたことに、研究結果は、単に週１回の手順において２人の健常な個体をヒト対照として使用することにより、装置の不調により検出されない状況を意味する偽陽性の比率が約０．０１％未満になるであろうことを示した。
【００２８】
同じく驚いたことに、週１回のテスト手順において２人の健常な個体をヒト対照として使用した場合、現在のＦＥＮＯ値偏差が＋１５ｐｐｂである欠陥機器を検出する確率がすでに約９２％にも上っていた。
【００２９】
要約すれば、研究から得たデータは、健常な個体からもたらされるＦＥＮＯ値を、ＦＥＮＯ測定のための装置の機能の実際的な生物学的テストの外部ソースとして効果的に使用できることを示す。
【００３０】
研究の背景
発明者らは、呼気中の気体化合物の濃度を測定する装置の機能を健常な個体を使用してテストできることを前提とした。発明者らは、このテストが装置の測定機能の外部テストとして機能するようになるためには、（単複の）健常な個体がこの成分に関して信頼性できる再現可能な値を有すること、或いはこれらの値の妥当性を確実にするように方法を展開する必要があることが求められると理解した。
【００３１】
研究では、本明細書ではＦＥＮＯ測定用の装置からのＦＥＮＯ値により示される、呼気中のＮＯの診断的測定に焦点を当てた。
【００３２】
例えば、Ｋｈａｒｉｔｏｎｏｖ他による、健常及び喘息の成人及び小児における呼気ＮＯ測定の再現性、Ｅｕｒ  Ｒｅｓｐｉｒ  Ｊ  ２００３年、第２１巻、４３３〜４３８ページ、Ａｌｄｅｅｎによる、Ｐｏｓｔｅｒ  ＡＴＳ  ２００５‐米国オハイオ州クリーブランドクリニックにおけるスタッフの自己テストによる生物学的ＱＣ、及びＭａｒｉａｎｎｅ  Ａｎｄｅｒｓｓｏｎによる、Ｐｏｓｔｅｒ  ＥＲＳ  ２００５、呼気酸化窒素の長期変動、スウェーデン  ゴーゼンバーグ市サールグレンスカ大学におけるスタッフの自己テストなどのこれまでの研究では、長期にわたる個体内部での変動は低いことが示されている。
【００３３】
発明者らによる、１０人の健常な個体により最大２．５年の期間にわたって行ったＦＥＮＯ測定をまとめた長期研究では、４．２ｐｐｂの平均ＳＤ（標準偏差）が得られ、上記の結果が確認された。
【００３４】
３．５ヶ月の間１人の健常な個体のＦＥＮＯを毎日測定した研究では、上述のＡｌｄｅｅｎにより８〜９％の低い変動性も報告された。上述のＫｈａｒｉｔｏｎｏｖ他からは、健常な個体（ｎ＝３０、ｎ＝個体数）及び喘息患者（ｎ＝２９）の双方において５日間連続して行った標準化されたＦＥＮＯ測定から２．１１ｐｐｂの平均プールＳＤが報告された。これらのデータは、健常な個体のＦＥＮＯ値が長期間にわたって安定していることを示しており、これは測定機器の測定機能をテストするためのヒト対照として健常な個体を使用することが可能であることを示している。
【００３５】
この研究の１つの目的は、健常な個体を基準の外部ソースとして使用して、呼気中の気体化合物の濃度を測定するための装置の、特にＦＥＮＯ測定のための装置の正確な機能を確認するということの実現可能性を調査することであった。別の目的は、許容される個体の変動に関する統計的及び臨床的に適切な限界を定めることであった。
【００３６】
研究の実施
研究は、２つのパートに分割した。パート１の目的は、個体ＦＥＮＯ値に関する基準限界を確立することであった。ヒト対照として使用する個体の認定においてこのような限界が使用されることになる。発明者らの仮説は、呼気中の気体化合物の濃度を測定する装置が正しく機能しているかどうかをテストするために、個体を実際的な生物学的テストのソースとして使用することが可能であるというものであった。研究のパート１から得られた結果を以下に開示する。
【００３７】
パート１中、１７人の個体が参加した３週間の測定期間中にＦＥＮＯ値を取得した。これらの個体のうち１５人から得た値を使用して、個体がヒト対照として認定されるかどうかを評価するために、個体の標準偏差（ＳＤ）及び上下の基準限界（表１を参照）を計算した。
【００３８】
【表１】
2011508206.tif 000003
【００３９】
研究のパート２では、１つの目的は、ＦＥＮＯ測定のための装置により例示される、健常な個体を使用して呼気中の気体化合物の濃度を測定するための装置の測定機能をテストできるかどうかをチェックするための長期データを収集することであった。
【００４０】
研究のパート１に参加した健常な対照個体が、研究のパート２の間に週１回の測定を行い続けた。個体の基準限界は、３つの以前の週１回の値と当日の測定結果とを使用する移動平均計算原理に基づいた。別の方法では、認定手続きを反復し、呼気の濃度を毎日、１日おき、又は２日おきに測定することにより、認定期間をわずか１週又は１．５週などに短縮することができる。
【００４１】
以下の定義を使用して、個々の値が正常であるか又は異常であるかを判定した。
【００４２】
正常な測定値は、３つの以前の正常な測定値の平均から±１０ｐｐｂを超えて異ならない測定値と定義される。ヒト対照が病気であり、或いはＮＯレベルに影響する可能性のある他の要因の影響を受けているときには、測定値を取得しないことが有利である。
【００４３】
必然的に、異常な測定値は、３つの以前の正常な測定値の平均から±１０ｐｐｂを超えて異なる測定値と定義される。
【００４４】
発明者らの第１の仮説は、個体の基準限界を、推定平均個体ＦＥＮＯ値±２ＳＤと定義することであった。これにより、３週間の間に行われた１０回の測定による認定期間から推定平均個体ＦＥＮＯ値が算出される。しかしながら発明者らは、この定義には、ゆっくりではあるが時間に伴う生理学的変化を考慮に入れず、長年などにわたる長期間の間、個体のベースラインが同じままになり得るという不都合があると結論付けた。このことは、個体が認定期間と比較して何らかの理由で若干高い或いは低い値の状態の期間を有する（この場合これら値はなおも低い変動性を有することができる）ことにより、装置が誤って不正確な示度（偽陰性）を示すようになる可能性があることを意味する。この不都合を避けるために、発明者らは、機器の不具合を暗示することのない、長期にわたるドリフトを容認する別の方法を展開した。評価のために選択した方法は、個々のヒト対照ごとに移動平均を求めることであった。
【００４５】
本発明の１つの実施形態、すなわちＮＯを測定するための装置に焦点を当てた実施形態による方法を目的として、２週間にわたる一連の６〜１０回の測定値の平均が１０〜４０ｐｐｂの間にあれば、この人物をヒト対照として認定することにする。上述のように、認定手続きを反復することにより、認定期間をわずか１週間又は１．５週間に短縮することができる。実施例は以下のとおりである。
【００４６】
個体は、連続したｎ（ｎは数字である）日間ＦＥＮＯ値を測定され、これによりｎ個のテスト値が与えられる。
【００４７】
ｎ日後、次のように平均が計算される。
【００４８】
【数１】
2011508206.tif 000004
【００４９】
個体がヒト対照として認定されるためには、平均Ｘｎが１０〜４０ｐｐｂの間になければならない。
【００５０】
上述の測定期間内の第ｎ日の後、ヒト対照は週１回の測定を継続する。個体の基準限界は移動平均に基づく。移動平均は、少なくとも２つ、好ましくは少なくとも３つの最近測定された毎週の値に基づく。特定の実施形態によれば、当日の測定値も移動平均の計算に含まれる。或いは、この説明の始めに説明したように認定プロセスが短縮される。
【００５１】
このことを示すために別の実施例が与えられ、ヒト対照Ａは、自身のＦＥＮＯ値を連続する４週間測定され、これにより、
ＲA:t、ＲA:t-1、ＲA:t-2及びＲA:t-3の４個のテスト値が与えられ、
この場合、ＲA:tはテスト装置Ａの現在のＦＥＮＯ示度であり、ＲA:t-1は最も直近の以前の有効示度であり、ＲA:t-2は２番目に近い以前の有効示度であり、ＲA:t-3は３番目に近い以前の有効示度である。
【００５２】
移動平均は次のように計算される。
【００５３】
【数２】
2011508206.tif 000005
【００５４】
現在値を含める場合、移動平均は、例えば次のように計算される。
（ＲA:t＋ＲA:t-1＋ＲA:t-2＋ＲA:t-3）／４
【００５５】
現在値と移動平均との間の差分は次のように計算される。
【００５６】
【数３】
2011508206.tif 000006
【００５７】
この場合も、移動平均の計算に現在値を含めることができる。ｄＡが±１０ｐｐｂの範囲内になければ、測定値は範囲外にあると定義される。
【００５８】
研究のパート２では、別の目的は、提案されるヒト対照を使用して測定装置の機能をテストする手順の妥当性を調査するための長期データを収集することであった。研究のこのパートでは、研究のパート１に参加した個体が週１回の測定を行い続けた。個体の基準限界は、３つの以前の毎週の値と現在の測定結果とを使用する移動平均計算原理に基づくものであった。上述の定義を使用して、個々の値を正常又は異常と記録した。
【００５９】
このことは、値が容認されるためには、現在の個体ＦＥＮＯ値と以前の３つのテストから得た移動平均との間の差分が±１０ｐｐｂの範囲内になければならないことを暗示する。
【００６０】
このようにして、研究の第２のパートでは、延長期間中に週に１回測定されるＦＥＮＯ値が、ヒト対照の測定値のために移動平均を使用して計算し上記のように定義した予想基準限界の範囲内にあるどうかを調査した。
【００６１】
研究のパート２を３ヶ月間行い、ここに示す結果は、ＦＥＮＯ値を測定するための装置を使用して１５個体により行われた週１回のＦＥＮＯ測定を対象にしている。
【００６２】
この研究のために、ヒト対照候補は、２週間にわたって得た一連の６〜１０回の測定値が１０ｐｐｂ〜４０ｐｐｂの範囲の平均値を有すればヒト対照になることを認定されると決定した（ただし、ヒト対照候補が病気であるとわかっているときの測定値を除く）。
【００６３】
測定値が範囲を外れているかどうかを判定するために、移動平均と現在の測定値との間の差分の技術を使用することも決定した。このアプローチの理由については上述しており、後程さらに説明する。
【００６４】
機器内の２つの測定値の間の差分が７ｐｐｂ以上になると、同じ機器内の２つの測定が反復して行われるようにすることもさらに決定した。
【００６５】
テスト設計
研究のパート２では、週１回、午前８時から午後６時までの昼間に健常な個体が測定を行った。各個体は、連続して２回の正常な測定を行った。
【００６６】
ＦＥＮＯは、ＡＴＳ（米国呼吸器学会）のガイドラインに基づいて５０ｍｌ／秒の呼気流量で測定した。装置は、センサ製造時に公称２００ｐｐｂＮＯの較正用ガスで較正した。
【００６７】
被検者
研究被検者（ｎ＝１５）は、年齢が３３〜５９才の間であった。研究に参加する全ての被検者は、機器の取り扱い訓練を受けた。さらに、研究に組み入れるために、個体は次のテスト対象患者基準を満たす必要があった。
‐健常な成人、年齢１８〜６５才であること
‐参加時にわかっているウィルス感染／気道疾病がないこと
‐喘息（又は良好に管理され、治療された喘息）と診断されていないこと
‐研究前１年以内に喫煙履歴がないこと
‐以前の経験に基づく１０〜４０ｐｐｂの安定したＦＥＮＯレベルであること
【００６８】
テストの被験者は、各々の場合において以下を症例報告表に記録するように指示された。
‐呼吸器感染の症状
‐継続的過敏症（投与中のあらゆる薬剤の名称を含む）
‐朝及び／又は夕方に服用している処方薬（薬剤の名称及び文書化すべき投与の理由）
‐測定前３時間以内における硝酸塩に富む食物の摂取
‐測定前１時間以内における激しい運動
‐副作用
【００６９】
統計的方法
正常な測定の定義：第１の測定と第２の測定との間の差分が７ｐｐｂ以上あれば範囲外すなわち不認可とみなされる。
【００７０】
統計的テストは全てパラメータに関するものであった。ｐ値＜０．０５の測定値又はその他の値が統計的に有意であるとみなされた。ｐ値が０．０５であるということは、関連値が正しいものである確率が９５％（１−０．０５＝０．９５）であることを意味する。測定結果が＜５ｐｐｂと記録された場合、値は４ｐｐｂに設定された。限界＜５ｐｐｂを選択した理由は、研究で使用される装置（ＮＩＯＸ  ＭＩＮＯ（登録商標））の下部測定限界が５ｐｐｂだからである。値を４ｐｐｂに設定する理由は、移動平均の計算に測定限界の５ｐｐｂ未満の示度にも値を割り当てることが必要だからである。
【００７１】
移動平均の定義：個体の基準限界は移動平均計算に基づいた。移動平均は、以前の３つの有効測定値の平均値を現在の示度から減算することにより計算した。移動平均計算の原理については上述した。
【００７２】
機器間の測定値の差分は、標準的な両側ｔ検定でテストした。
【００７３】
結果
全般
３ヶ月後に１５個体から得た合計１５２個の（重複した）測定値を解析した。個体は、休暇の週を除く全ての週に必要な測定を行った。３つの場合でＦＥＮＯ値が７ｐｐｂ以上異なった。ＮＩＯＸ  ＭＩＮＯでは２個体により測定が反復され、許容できる反復間の差分が示された。
【００７４】
２個体が長期の薬剤投与を報告した。１個体が花粉症のための、１個体が過敏症のための、及び１個体が関節炎のための薬剤の投与を受けた。３個体が季節性過敏症を報告した。１個体が過敏症の兆候を報告した。５個体が、研究期間の何日かの測定日中に呼吸器感染症の兆候を報告した。１個体が、測定期間の後半で急性の耳の炎症を患った。
【００７５】
２個体が、測定前の２回の単一の機会における硝酸塩に富む食物の摂取を報告した。１個体が、測定の第１週中に超低カロリーダイエット（ＶＬＣＤ）を開始し、９週後に終了した。１個体は、既知の食物過敏症を有していた。
【００７６】
測定前の運動を報告した個体は無かった。
【００７７】
欠損値
ほとんどの個体が、報告された３ヶ月のテスト期間中に少なくとも１０回の測定を行った。週１回の測定を行わなかった唯一の理由は休暇であった。
【００７８】
ＦＥＮＯ測定結果
研究のパート２から得られた平均ＦＥＮＯ値は、＜５〜４３．５ｐｐｂであった。全ての個体の測定から得られた結果を以下の表２に示しており、平均、最小、最大及びＳＤ（標準偏差）を示している。最大個体ＳＤは７．９８ｐｐｂであった。
【００７９】
【表２】
2011508206.tif 000007
【００８０】
ＦＥＮＯ値及び移動平均のグラフ表現
図１ａ、図１ｂ、図２ａ、図２ｂ、図３ａ、及び図３ｂに、ＦＥＮＯ値及び移動平均を示している。上部のグラフ（図１ａ、図２ａ、及び図３ａ）は、個々のテスト個体の個体ＦＥＮＯ値（黒い菱形）のグラフ表現を、計算した移動平均から得られる最大（丸印を付けた上側の線）及び最小（丸印を付けた下側の線）許容限界とともに示している。
【００８１】
下部のグラフ（図１ｂ、図２ｂ、及び図３ｂ）は、現在のＦＥＮＯ値と移動平均との間の差分を、最大及び最小許容限界とともに示している。双方の場合について、差分が±１０を逸脱した場合、値は範囲外と定義された。グラフ内のフラグ付きの値は、個体に注釈のある値であった。注釈は、風邪の兆候、過敏症、硝酸塩に富む食物の摂取及び刺激的薬物の投与に関するものであった。
【００８２】
６個体が、移動平均と現在のＦＥＮＯ値との間の差分が±１０ｐｐｂの限界を逸脱したことを示した。これらのうちの４個体は、測定値の時点における呼吸器感染症を報告した。１個体は、全テスト期間中におけるいくつかの過敏症の薬の服用を報告した。別の個体は、全テスト期間中における抗炎症剤セレコキシブ（Ｃｅｌｅｂｒａ（登録商標））の長期投薬を報告した。
【００８３】
グラフでわかるように、この方法は、呼吸器感染症及び硝酸塩に富む食物の摂取などの、ＦＥＮＯ値に影響することがわかっている要因に起因するＦＥＮＯ値の変動の検出が正確である。
【００８４】
生物学的試験手順における移動平均の使用についての検出感度の評価
生物学的試験手順における移動平均の使用についての検出感度をテストするために、発明者らは、ブートストラップ推定を使用して生物学的試験手順が失敗する確率を計算した。
【００８５】
ブートストラップ推定は、この研究のパート１及びパート２で得られた現在のデータに基づいた。ブートストラップ法の詳細な説明については、Ｂｒａｄｌｅｙ  Ｅｆｒｏｎ及びＲ．Ｊ．Ｔｉｂｓｈｉｒａｎｉ著、ブートストラップ法入門（統計及び応用確率に基づくモノグラフ）、１９９５年を参照されたい。合計２５３個の正常な測定値が存在し、この中には少なくとも３つの前述した正常な測定値が含まれ、これらから移動平均を計算することができる。これらの測定値を１５個体に分配した。平均測定期間は１１８日である。各推定は、１０，０００回のブートストラップから得られたものである。
【００８６】
２つの推定が与えられ、各々が考えられる装置の状態の範囲に対応する。発明者らは、全ての計算に関して、いずれの場合にも２人のヒト対照を利用できると仮定した。
【００８７】
第１に、発明者らは、単一の生物学的試験手順を行う場合、測定機器に障害が存在するときに生物学的試験手順が失敗する確率を推定した。これは、生物学的試験手順により障害が検出されるであろう確率の推定である。
【００８８】
第２に、測定機器に障害が存在するときに、２回の連続する生物学的手順において少なくとも１回の生物学的試験手順が失敗する確率を推定した。これは、２回の連続する生物学的試験手順において障害が検出されるであろう確率の推定である。
【００８９】
個々のブートストラップごとに２個体をランダムに選択し、利用できる正常な測定値の数により個々の個体ごとに重み付けした。個々の個体ごとに、少なくとも３つの前述した正常な測定値を含む２つの連続した日付けから得た正常な測定値をランダムに選択した。これらの選択に対して生物学的試験手順を行った。この推定は、ブートストラップの選択が生物学的試験手順を失敗させる回数の割合である。
【００９０】
較正外れをシミュレートするために、ある日付けの測定値に誤差を加えた（＋５ｐｐｂ、＋１０ｐｐｂ、＋１５ｐｐｂ、−１５ｐｐｂ、−１５ｐｐｂ）。次に、この測定誤差を以前の３つの正常な測定値の（変化のない）平均と比較した。２回の連続する生物学的試験手順の場合に測定値が正常とみなされれば、これを反映させるように平均を更新した。
【００９１】
結果、２回の連続する生物学的試験手順（すなわち２つの別個の場合について）後には偽陽性率が約０．０２％であり、ヒト対照において範囲外の測定値である＋１５ｐｐｂの増加を検出する確率は、１回の生物学的試験手順後では約９２％、２回の生物学的試験手順後では約９５％であることが示された。
【００９２】
例えば、２つの生物学的試験手順後には、偽陽性率（ＮＩＯＸ  ＭＩＮＯなどの正常に機能する測定機器が生物学的試験手順で失敗する確率）は約０．０２％である。さらに、２人のヒト対照で＋１５ｐｐｂのバイアス（すなわち測定装置の示度が１５ｐｐｂ高すぎること）を検出する確率は、１回の生物学的試験手順後では約９２％、２回の連続する生物学的試験手順後では約９５％である。
【００９３】
研究は、２人のヒト対照及び概説した移動平均技術を使用することにより、高い検出感度及び低い偽陽性率という両方の目的が達成されたことを示した。
【００９４】
概説した移動平均技術は、不変のベースラインを有することと比較して、時間に伴うある程度の生物学的ＦＥＮＯ変動を許容するという利点を有する。時間に伴う変化を考慮しなければ、認定期間中に得られた平均値と比較してＦＥＮＯ値が幾分高い又は低い期間を有する個体は偽陽性を引き起こすであろう。
【００９５】
この特定の実施形態で測定値と移動平均の値との間の差分の限界に±１０ｐｐｂを選択する理由は、考慮すべきいくつかの不正確な要素が存在することである。第１に、ＦＥＮＯの生物学的な不正確さは、１つのＳＤ内で±２.５ｐｐｂである。個体の大部分を含むためには３つのＳＤを適用する必要があり、これは±７．５ｐｐｂと同等である。測定装置の妥当な不正確さは±２.５ｐｐｂなので、累積の不正確さは±１０ｐｐｂになる。
【００９６】
研究のパート２の間に得られたＦＥＮＯ値は、ＦＥＮＯ値の変化を検出する方法論の検出感度が非常に良好であることを示している。４個体において、呼吸器感染症の期間に範囲を外れた値が検出された。さらなる２個体において、過敏症の症候を有する期間に範囲を外れた値が生じた。これらの場合は別として、範囲を外れた偽陽性の値を含む事例はほとんどなく、これは、概説した移動平均技術が、基準として健常な個体を使用することにより、ＦＥＮＯを測定するための機器の測定機能のテストを行う実現可能な方法であることを示している。
【００９７】
従って、±１０ｐｐｂという現在値と移動平均との間の差分の限界を有する健常な個体から得たＦＥＮＯ値を使用して示すように、本発明による方法は、呼気中の気体化合物の濃度を測定する装置の機能を単純かつ安価にテストするための実施可能なアプローチである。
【００９８】
特に、行った研究及び解析により、健常な個体から得たＦＥＮＯ測定値を、呼気ＮＯを測定するための装置の機能の実際的な生物学的テストに有効に使用できることが示されている。
【００９９】
上述の研究及び解析に基づいて、発明者らは、以下で説明するような認定手続き及び生物学的試験手順をまとめた。
【０１００】
認定手続き
認定手続きでは、生物学的試験手順を行うように予定されている（単複の）個体に正常値を設定した。最低１個体、しかし好ましくは２又はそれ以上の個体が認定手続きを受ける必要がある。正規の個体の１又はそれ以上が生物学的試験手順に参加できなくなった場合に予備として機能できるので、第３の個体も認定手続きを受けることが有利となり得る。
【０１０１】
ヒト対照候補は、２週間の間に認定されることになる。ヒト対照候補が測定を行う場合、測定機器は通常の使用のように使用される。測定値は、ヒト対照候補のパーソナル・クオリフィケーション・テスタ・ログに入力される。
【０１０２】
認定された状態でいるためには、ヒト対照は週１回の測定を実施し、測定値を自身のパーソナル・クオリフィケーション・テスタ・ログ及び自身のウイークリー・ヒューマン・コントロール・ログに入力することが有利である。最新の正常な測定値が１ヶ月よりも古い場合には認定を一時中断し、ヒト対照が１週間のうちに３回の正常測定を実施できたときに再開することが提案される。
【０１０３】
認定手続きは、生物学的試験手順に使用されるとともに以下の基準を満たす１人、好ましくは２人又はそれ以上のヒト対照候補を識別することにより開始されることが好ましい。
１．年齢が１８才以上であること
２．進行中の風邪或いは分かっている気道疾患がないこと
３．喘息と診断されていないこと、又は喘息が良好に管理され治療されていること
４．非喫煙者であること
５．１０〜４０ｐｐｂの期待ＦＥＮＯ値を有すること
６．好ましくは過敏症でないこと（季節性を除く、以下を参照）
【０１０４】
信頼できる結果を得るために、以下も考慮することが有利である。
あらゆる測定前に、ヒト対照又はヒト対照候補は
７．測定前３時間以内に硝酸塩に富む食物を避けること、及び、
８．測定前少なくとも１時間は、あらゆる激しい運動を避けること。
【０１０５】
さらに、以下の場合には測定を行うべきではない。
９．風邪を引いている場合、又は、
１０．急性季節性過敏症の場合。
【０１０６】
２週間の間に６〜１０回のＦＥＮＯ測定を１日１回行い、記録した値をパーソナル・クオリフィケーション・テスタ・ログに入力することが有利である。
【０１０７】
次に平均値を計算する。この値は、約１０〜約４０ｐｐｂの区間内になければならない。
【０１０８】
この用途では、個体の状態を示すために「正常状態」という用語を使用する。基本的には、上記基準１〜６を満たす個体は正常状態にあるとみなされる。しかしながら、個体は基準７及び８も満たすべきであり、基準９及び１０による事象が発生した場合には測定が行われないことが好ましい。
【０１０９】
生物学的試験手順
以下で説明する生物学的試験手順は、本発明による方法の実施形態である。この手順は、生物学的試験手順のためのヒト対照として認定された個体によってのみ行われることが有利である。２人のヒト対照を利用できることが有利である。第１のヒト対照による測定が承認されない場合、第２のヒト対照が測定を受け又は行うべきである。第２のヒト対照による測定が承認されない場合、測定機器を運用から外すべきである。その後、測定機器のメーカーの技術サポートに連絡することが有利である。
【０１１０】
１人のヒト対照のみを利用でき、かつ測定が承認されない場合、第２の認定されたヒト対照が利用可能になるまで測定機器が一時的に運用から外され、その後生物学的試験手順が繰り返される。
【０１１１】
以下は生物学的試験手順の範囲内にあるテストを実施するための手順の例である。
【０１１２】
１．正しいセンサが取り付けられていることなどの、測定機器の測定の設備が整っていることをチェックする。装置のディスプレイ上の記号などにより、測定機器が生物学的試験手順に入ったことを示すことが想像できる。
【０１１３】
２．測定機器の測定準備ができていることを確実にする。その後、ユーザマニュアルに説明されている手順に従って測定を行うことが有利である。
【０１１４】
３．測定の結果（テスト結果）が表示されるのを待つ。
【０１１５】
４．テスト結果を、「ウイークリー・ヒューマン・コントロール・ログ」及び「測定機器テスタ・ログ」内に入力する。
【０１１６】
５．「ウイークリー・ヒューマン・コントロール・ログ」内にあるヒト対照の以前の３つのテストの平均を計算する。計算した平均値から現在のテスト結果の値を減算して差分を得る。計算の詳細については「ウイークリー・ヒューマン・コントロール・ログ」を参照する。特定の実施形態によれば、差分が±１０ｐｐｂの範囲内にあれば現在のテスト結果が承認される。他の測定装置などに適用する代替の実施形態では、承認されたテスト結果のための異なる限界が考えられる。
【０１１７】
６．測定が承認されない場合、第２のヒト対照が利用可能になるまで機器を運用から外すべきである。しかしながら、第２のヒト対照を利用できる場合、第２のヒト対照を使用して生物学的試験手順全体を最初から（ステップ１から先へ）行うことが有利である。第２のヒト対照の測定値が、ポイント５で説明する基準に従って承認されれば、生物学的試験手順は承認される。
【０１１８】
第２のヒト対照のテスト結果も承認されない場合、測定機器を運用から外すべきである。
【０１１９】
連続する２日間の反復測定が、機器の下部測定限界よりも低い値（ＮＩＯＸ  ＭＩＮＯでは、この値は５ｐｐｂである）を示す場合、或いは生物学的試験手順が承認されない場合は、この測定機器を使用すべきでない。このような場合にはメーカーに連絡することが有利である。
【０１２０】
過敏症により正常値よりも高い値が生じる可能性があるので、生物学的試験手順の範囲内のテスト（上記ポイント１〜５）が承認されない場合には、ヒト対照が知らずに何らかの種類の過敏症を患っているかどうかを確認することが好ましい。同様に、ヒト対照が、風邪を引いていたり、何らかの硝酸塩に富む食物を食べていたり、何らかの抗炎症薬を投与されていたり、或いは直前１時間以内に運動していたりした場合は除外すべきである。
【０１２１】
測定は、その日のうちのいかなる時点でも行うことができる。しかしながら、毎日その日の同じ時間に測定を行うことが推奨される。
【０１２２】
本発明の方法及びその実施形態は、ＦＥＮＯ測定のための装置に関して、より具体的には測定装置の例としてＮＩＯＸ  ＭＩＮＯ（登録商標）（Ａｅｒｏｃｒｉｎｅ  ＡＢ社、スウェーデン、ソルナ）を使用して説明したものである。当然ながら、本明細書で説明する技術を、呼気中の気体成分を測定するための他の装置とともに使用することもできる。同様に、呼気中の酸化窒素以外の他の物質を測定するための測定機器の場合にも本発明で説明する技術を使用することができる。
【０１２３】
当業者であれば、装置の正確性、気体成分の診断間隔などに応じて必要な調整を容易に行うことができる。例えば、異なる装置の仕様及び性能に応じて、現在値と移動平均値との間の差分に関する±１０ｐｐｂの限界を調整することが必要となる可能性がある。
【０１２４】
本明細書では特定の実施形態を詳細に開示したが、これは例示のみを目的として一例として行ったものであり、以下の添付の特許請求の範囲に対して限定することを意図するものではない。詳細には、特許請求の範囲により定義される本発明の意図及び範囲を逸脱することなく本発明に様々な代用、変更、及び修正を行えることが発明者により企図される。
【図１ａ】
2011508206.tif 000008
【図１ｂ】
2011508206.tif 000009
【図２ａ】
2011508206.tif 000010
【図２ｂ】
2011508206.tif 000011
【図３ａ】
2011508206.tif 000012
【図３ｂ】
2011508206.tif 000013
【図４】
2011508206.tif 000014
【国際調査報告】
2011508206.tif 000015
2011508206.tif 000016
2011508206.tif 000017